(57)【要約】      （修正有）【課題】着脱が容易であり、かつ結び目が緩んだりほどけたりしないスカーフを提供する。【解決手段】第１角部１、第２角部２、第３角部３及び第４角部４を順に有する矩形状のスカーフＡであって、そのスカーフの一部を挿通するための小孔Ｈを備えたスカーフＡであり、小孔ＨにそのスカーフＡの布地の一部が挿通された状態で使用される。また、小孔Ｈは一つの角部に形成されていることから、ループ状にでき、容易に首部等に巻きつけることができる。【選択図】図１
0003209645.tif 000002
【実用新案登録請求の範囲】
【請求項１】
第１角部、第２角部、第３角部及び第４角部を順に有する矩形状のスカーフであって、
そのスカーフの一部を挿通するための小孔を備えたスカーフ。
【請求項２】
前記小孔が一つの角部に形成されていることを特徴とする請求項１記載のスカーフ。
【請求項３】
前記小孔が切り欠き状の小孔であることを特徴とする請求項１記載のスカーフ。
【請求項４】
小孔Ｈにそのスカーフの一部が挿通された状態である請求項１記載のスカーフ。
【請求項５】
人体に取り付け可能な請求項１記載のスカーフ。
【請求項６】
人体以外の物体に取り付け可能な請求項１記載のスカーフ。
【考案の詳細な説明】
【技術分野】
【０００１】
本考案はスカーフに関し、更に詳しくは一角に穴を設けたことで容易に着脱可能な穴あきスカーフに関する。
【背景技術】
【０００２】
防寒や装飾のため、矩形状のスカーフがファッションアイテムとして広く利用されている（特許文献１、２）。首元や頭に巻くほか、バッグに付けてアクセントとしたり、所有物の目印とする等、多様な使い方がある。
【０００３】
一方で、装飾性を高めるためには複数の結び方を覚える必要があり、また、結びの巧拙は着用者の技量によるため、結びが不得意な着用者の場合は着用中に緩む、結び目が解ける等の問題があった。
【先行技術文献】
【特許文献】
【０００４】
【特許文献１】特開２０１２−００７２８２号公報
【特許文献２】特開２０１４−２０４８２９号公報
【考案の概要】
【考案が解決しようとする課題】
【０００５】
本考案は、上述の課題を受けて開発されたものである。すなわち、本考案は着脱が容易であり、かつ着用後も緩んだりほどけたりしにくいスカーフを提供することを目的とする。
【課題を解決するための手段】
【０００６】
本考案者は鋭意検討の結果、スカーフの一角に穴を設け、他の角を当該穴に通すことで、ループが形成されて人体に固定できることを見出した。本考案はこの知見に基づくものである。
【０００７】
すなわち本考案は（１）、第１角部１、第２角部２、第３角部３及び第４角部４を順に有する矩形状のスカーフＡであって、そのスカーフＡの一部を挿通するための小孔Ｈを備えたスカーフＡに存する。
【０００８】
また、本考案は（２）、前記小孔Ｈが一つの角部に形成されていることを特徴とする請求項１記載のスカーフＡに存する。
【０００９】
また、本考案は（３）、前記小孔Ｈが切り欠き状の小孔Ｈであることを特徴とする請求項１記載のスカーフＡに存する。
【００１０】
また、本考案は（４）、小孔ＨにそのスカーフＡの一部が挿通された状態である請求項１記載のスカーフＡに存する。
【００１１】
また、本考案は（５）、人体に取り付け可能な請求項１記載のスカーフＡに存する。
【００１２】
また、本考案は（６）、人体以外の物体に取り付け可能な請求項１記載のスカーフＡに存する。
【考案の効果】
【００１３】
本考案は、第１角部１、第２角部２、第３角部３及び第４角部４を順に有する矩形状のスカーフＡであって、そのスカーフＡの一部を挿通するための小孔Ｈを備えたスカーフＡであるので、着脱が容易であり、また着用後、緩んだり解けたりし難い。
また通常の小孔Ｈの開いていないスカーフＡと同様の結び目を使った固定を施すことも可能である。
【００１４】
また、小孔Ｈに通した部分を更に結び目を施したり形を整えることで、よりファッション性を高めることができる。
アレンジとして、蝶結びの他、ネクタイように細く整えたりアスコットタイの様に形を整えることができ自由度がある。
【００１５】
また、小孔Ｈが一つの角部に形成されていることで、スカーフの一部を挿通し易い。
【００１６】
また、小孔Ｈが切り欠き状の小孔Ｈであることにより、円形や角形のものと較べて、更により抵抗が大きくできるため固定力が極力発揮できる。
そして見た目においても、小孔Ｈが目立たないために外観的にも違和感がない。
【００１７】
また、小孔ＨにそのスカーフＡの一部が挿通された状態であるので、着用状態で種々の変形した形状が得られ自由度が高い。
【００１８】
また、人体以外の物体に取り付け可能であるから、他の物体にもスカーフ風の装飾も付与できる利点がある。
【図面の簡単な説明】
【００１９】
【図１】図１はスカーフの外観図である。
【図２】図２は、スカーフの一部を小孔に挿通する操作を説明する図であり、（Ａ）は第３角部を第１角部に形成された小孔に通す例であり、（Ｂ）は真ん中部分を第１角部に形成された小孔に通す例である。
【図３】図３は小孔付近を拡大して示す図である。
【図４】図４は、スカーフの着用例１（プレーンタイプ）を示す写真図である。
【図５】図５は、そのスカーフの着用の操作を説明する図である。
【図６】図６は、スカーフの着用例２（コサージュタイプ）を示す写真図である。
【図７】図７は、そのスカーフの着用の操作を説明する図である。
【図８】図８は、スカーフの着用例２（スティックタイプ１）を示す写真図である。
【図９】図９は、そのスカーフの着用の操作を説明する図である。
【図１０】図１０は、そのスカーフの折り畳む操作を説明する図である。
【図１１】図１１は、スカーフの着用例２（スティックタイプ２）を示す写真図である。
【図１２】図１２は、そのスカーフの着用の操作を説明する図である。
【図１３】図１３は、三角形状の小孔を示す図である。
【図１４】図１４は、四角形状の小孔を示す図である。
【図１５】図１５は、切り欠き状の小孔を示す図である。
【図１６】図１６は、複数の切り欠きを有する小孔を示す図である。
【図１７】図１７は、Ｓ字状の切り欠きを有する小孔を示す図である。
【図１８】図１８は、円形状の小孔の周囲に装飾刺繍が付与された小孔を示す図である。
【考案を実施するための形態】
【００２０】
以下、必要に応じて図面を参照しつつ、本考案の好適な実施形態について詳細に説明する。
なお、図面中、同一要素には同一符号を付すこととし、重複する説明は省略する。
また、上下左右等の位置関係は、特に断らない限り、図面に示す位置関係に基づくものとする。更に、図面の寸法比率は図示の比率に限られるものではない。
【００２１】
図１はスカーフＡの外観図である。
本考案のスカーフＡは、人体（身体）の首元等に取り付けるスカーフ（ネッカチーフ等も含む）Ａであって、第１角部１、第２角部２、第３角部３及び第４角部４を順に有する矩形状に形成されたスカーフＡである。
そのスカーフＡの一部を挿通するための小孔Ｈが４つの角部の内、一つの角部に形成されている。
【００２２】
すなわち小孔Ｈの設けられた第１角部１と、該第１角部１の対角にある第３角部３と、前記第１角部１及び第３角部３の間にある第２角部２及び第４角部４とを有する。
この小孔ＨはスカーフＡを他部材に取り付ける際、その一部を挿通するためにある。
ここでスカーフＡは、例えば綿、麻等の天然繊維、ウール等の動物繊維、或いはアクリル、ポリエステル等の合成繊維よりなるフレキシブルな布帛が採用される。
【００２３】
スカーフＡは、その一部（すなわち布地の一部）を小孔Ｈに通すことによって、例えば、人体に対して、取り付け、すなわち固定できる。
このように固定できるのは、この小孔ＨにスカーフＡ自体の一部を挿通することにより、取り付け対象となるもの、例えば、人体に巻きつけた状態にすることができるからである。
【００２４】
従来、スカーフＡを身体に固定する場合は、２つの角部を縛ることによって行うが、本考案のように小孔Ｈがあることで、スカーフＡの一部を通すことができ固定が極めて簡単にできることとなる。
【００２５】
小孔Ｈは小さいので、スカーフＡを通す場合、小孔Ｈとの間に摩擦が生じるため、十分な固定力が発揮できる。
そのため着用後、不用意にスカーフＡが緩むことがない。
ここで、取り外す場合は、スカーフＡの一部を摘んで引き抜くことにより、簡単に取り外すことができる。
このように、熟練を要さず簡単に誰にでもスカーフＡを固定することができ、かつ着用中は緩んだり解けたりし難く、逆に外す際には容易に外すことが可能である
【００２６】
図２は、スカーフＡの一部を小孔Ｈに挿通する操作を説明する図であり、（Ａ）は第３角部３を第１角部１に形成された小孔Ｈに通す例であり、（Ｂ）は真ん中部分を第１角部１に形成された小孔Ｈに通す例である。
（Ａ）の場合は、尖った状態の角部をそのまま摘んで通せば良いので小孔Ｈに焦点が定め易い。
しかし（Ｂ）の場合は、摘む位置が角部以外の部分、ここでは真ん中部分なので、通す場合は、その部分を摘んで少し捩じりを加えて押し入れると入れ易い。
これらのスカーフＡに形成された小孔Ｈは極力、強度が保証されたほうがよい。
【００２７】
図３は小孔Ｈ付近を拡大して示す図である。
このように小孔Ｈの周辺は糸でかがり縫いを施すことが好ましい。
これにより小孔Ｈの強度が増し耐久性が向上し破れるようなことが極力回避される。
また、かがり縫いの場合、小孔Ｈの周辺とスカーフの布帛地の間で摩擦力が生じ、小孔Ｈに通した部分が予期せぬずれを起こすようなことがない。
これにより、スカーフＡが着用中に緩んだり解けたりすることが防止される。
一方、また、後述するように、かがり縫いにデザインを施し、より装飾性を高めることも可能である。
【００２８】
本考案のスカーフＡは、一部を小孔Ｈに通すことによりループを形成することができ、そのため、ハンドバッグ等のカバンを含む種々のものに対して固定することができる。
【００２９】
以下に、人体に対するスカーフＡの着用例を示す。
図４は、スカーフＡの着用例１（プレーンタイプ）を示す写真図である。
【００３０】
図５は、そのスカーフＡの着用の操作を説明する図である。
尚、矢印は角部の動きを示す。
プレーンタイプの場合は、図５（Ａ）に示すように、まず、スカーフＡを着用する際には、第１角部１と第３角部３の対角線でスカーフＡを折り曲げて三角形状にする。
次に図５（Ｂ）に示すように、それを後ろから肩に掛けて、前に垂れ下がった第３角部３を第１角部の小孔Ｈに下から上に通す。
さらに装飾のためにアレンジを施したい場合には、小孔Ｈから引き出した第３角部３の形を広げたり整えたりすることが可能である。
また再度、小孔Ｈの下から上に通すと完了である（図４参照）。
尚、アレンジの方法として、蝶結びの他、ネクタイように細く整える、結び目を正面につくりアスコットタイの様に形を整える等がある。  
【００３１】
図６は、スカーフＡの着用例２（コサージュタイプ）を示す写真図である。
【００３２】
図７は、そのスカーフＡの着用の操作を説明する図である。
この場合も、スカーフＡを着用する際には、前述した図５（Ａ）に示すように、まず第１角部１と第３角部３の対角線状にスカーフＡを折り曲げて三角形状にする。
そして図７に示すように、それを後ろから肩に掛けて、スカーフＡの第１角部以外の中ほどを小孔Ｈに下から上に通す。
次に、通した部分を広げた後、その広げて山状になった頂点を、今度は逆に小孔Ｈに上から下に少し通すと花飾りが形成され完了である（図７参照）。
【００３３】
図８は、スカーフＡの着用例２（スティックタイプ１）を示す写真図である。
【００３４】
図９は、そのスカーフＡの着用の操作を説明する図である。
このスティックタイプの場合は、まず着用前に四角形のスカーフＡを細長くするための畳み込む操作が必要である。
【００３５】
図１０は、そのスカーフＡの折り畳む操作を説明する図である。
スカーフＡを畳む際には、スカーフＡを広げた状態から、対向するそれぞれの角部（第２角部２、第４角部４）を内側に畳み込む操作を数回繰り返す。
これでスカーフＡはスティック状に形成されるが、当然、折り畳む回数を多くすることで、スティックの幅が小さくなる。
尚、この場合、第１角部１及び第３角部３を折り畳まぬように注意する。
【００３６】
図９に示すように、スカーフＡを着用する際には、まずスティック状になったスカーフＡを首部Ｘに巻き、第３角部３の方を下から首部Ｘに通していったん前方に出す。
そして、その出した第３角部３を、今度は第１角部１の小孔Ｈに上から下に通す。
これで、図８に示すように、スティックタイプ１が完成する。
【００３７】
図１１は、スカーフＡの着用例２（スティックタイプ２）を示す写真図である。
【００３８】
図１２は、そのスカーフＡの着用の操作を説明する図である。
図１２に示すように、スカーフＡを着用する際には、まず、スティック状になったスカーフＡを首部Ｘに巻き、第３角部３の方を第１角部１の小孔Ｈに通して垂下させる。
その後、垂下した第３角部３を下から上に小孔Ｈに通して広げる。
これで、図１１に示すように、スティックタイプ２が完成する。
【００３９】
以上説明したように、本考案のスカーフＡは、角部に小孔Ｈが形成されていることから、ループ状にでき、そのため容易に首部Ｘ等に巻き付けた状態にすることができる。
【００４０】
次に、この小孔Ｈの変形例について述べる。
図１３〜図１８は、小孔Ｈの種々の例を示す図である。
図１３は、三角形状の小孔Ｈを示し、図１４は四角形状の小孔Ｈを示し、図１５は、切り欠き状の小孔Ｈを示す。
ここで三角形状や四角形状の角形状の小孔Ｈは、例えば、角部をこの小孔Ｈに挿通した際、円形状の小孔Ｈと較べて、抵抗が大きいため固定力がより発揮し易い。
【００４１】
また図１６は、複数の切り欠きを有する小孔Ｈを示し、図１７はＳ字状の切り欠きを有する小孔Ｈを示す。
このような切り欠きを有する小孔Ｈは、円形や角形のものと較べて、更により抵抗が大きくできるため固定力が極力発揮できる。
また、見た目においても、小孔Ｈが見立たないために外観的にも違和感がない。
切り欠きを有する小孔Ｈは、例えば角部をこの小孔Ｈに挿通する場合は、切り欠きを開いて小孔Ｈを大きく広げて行えばよい。
【００４２】
また、図１８は、円形状の小孔Ｈの周囲に装飾刺繍が付与された小孔Ｈを示す。
【００４３】
以上、本考案を実施の形態にもと基づいて、説明したが、本考案は、これらの実施の形態に限らず、種々の変形例が可能である。
【００４４】
本考案のスカーフＡは人体以外の物体、例えば、ハンドバッグ、カバン、籠等に固定して使うことができる。
また、本考案はスカーフＡは、例えば、子供や要介護者等のナプキンとして用いることもできるが、その際、ナプキンを他人が着用させたり、また自身で着用する場合にも、固定が簡単で有用である。
【００４５】
本考案のスカーフにおける小穴Ｈ、一つが好ましいが、例えば、一つの角部以外の、他の角部にも形成することも可能である。
また小穴Ｈのある第１角部と対向する第３角部３にワンポイントとなる表示マークをプリントや刺繍等の方法により設けることができる。
これにより、第３角部３を第１角部の小孔Ｈから引き出す際に、表示マークが目立つように露出される。
【００４６】
また、十分に第３角部３を引き出せたことの目印とすることができ、より確実な着用が可能となる。
【００４７】
また、表示マークは、ワンポイントではなく、スカーフＡの総柄の一部とすることができる。
【００４８】
また小孔Ｈをかがり縫いに代えて、樹脂リング等の鳩目加工により補強することも可能である。
本考案のスカーフＡの材質としては、例えば、綿、絹等の天然繊維、ウール等の動物繊維、ポリアミド、ポリエステル等の合成繊維の布帛（布地）が採用される。
【産業上の利用可能性】
【００４９】
本考案は、着脱が容易であり、かつ着用後も緩んだり解けたりしにくいスカーフＡであり、人体以外の装飾用やナプキン等の実用物にも広く利用可能である。
【符号の説明】
【００５０】
Ａ・・・スカーフ
１・・・第１角部
Ｈ・・・小孔
２・・・第２角部
３・・・第３角部
４・・・第４角部
Ｘ・・・首部
【図１】
0003209645.tif 000003
【図２】
0003209645.tif 000004
【図３】
0003209645.tif 000005
【図５】
0003209645.tif 000006
【図７】
0003209645.tif 000007
【図９】
0003209645.tif 000008
【図１０】
0003209645.tif 000009
【図１２】
0003209645.tif 000010
【図１３】
0003209645.tif 000011
【図１４】
0003209645.tif 000012
【図１５】
0003209645.tif 000013
【図１６】
0003209645.tif 000014
【図１７】
0003209645.tif 000015
【図１８】
0003209645.tif 000016
【図４】
0003209645.tif 000017
【図６】
0003209645.tif 000018
【図８】
0003209645.tif 000019
【図１１】
0003209645.tif 000020